(57)【要約】 【課題】自立運転機能を備えた発電設備の導入の容易化【解決手段】コンセント装置は、停電時に自立運転を行う機能を備えたパワーコンディショナーの連系出力端子と、商用交流電源に接続された配線とを接続する接続手段と、前記パワーコンディショナーの自立出力端子と配線接続され、前記パワーコンディショナーの自立コンセントして機能するコンセントと、を備える。このコンセント装置は、既存の埋込コンセントと交換工事を行うことで設置され、電力系統との連系点を構成する。【選択図】図１
2017060337.tif 000002
【特許請求の範囲】
【請求項１】
停電時に自立運転を行う機能を備えたパワーコンディショナーの連系出力端子と、商用交流電源に接続された配線とを接続する接続手段と、
前記パワーコンディショナーの自立出力端子と配線接続され、前記パワーコンディショナーの自立コンセントとして機能するコンセントと、
を備えるコンセント装置。
【請求項２】
前記コンセントは、
前記パワーコンディショナーの連系運転時に、前記連系出力端子と、自立出力端子とが接続されることにより、連系コンセントとして機能し、
前記パワーコンディショナーの自立運転時に、前記連系出力端子と、自立出力端子とが解列されることにより、自立コンセントとして機能すること、
を特徴とする請求項１のコンセント装置。
【請求項３】
前記接続手段は、前記商用交流電源に接続された配線を接続する端子台と、前記端子台を介して前記パワーコンディショナーの連系出力端子と前記商用交流電源とを接続するケーブルと、によって構成されている請求項１又は２のコンセント装置。
【請求項４】
前記パワーコンディショナーの自立出力端子と、前記コンセントとが、前記端子台を介して接続されている請求項３のコンセント装置。
【請求項５】
前記接続手段は、前記商用交流電源に接続された配線を接続する端子台と、前記端子台と接続され、かつ、前記パワーコンディショナーの連系出力端子に接続されたケーブルの終端に接続されたコネクタと嵌合するコンセント側コネクタとによって構成されている請求項１又は２のコンセント装置。
【請求項６】
商用交流電源に接続された配線を接続する第１の配線固定手段と、
コンセント枠に設置された第２のコンセントへ配線を行うための第２の配線固定手段と、
停電時に自立運転を行う機能を備えたパワーコンディショナーの連系出力端子及び商用交流電源に接続された配線、並びに、前記パワーコンディショナーの自立出力端子及び前記第２のコンセントへの配線とをそれぞれ接続する接続手段と、
を備え、コンセント枠に取り付け可能な配線接続装置。
【請求項７】
インバータの出力側と接続され、商用交流電源と配線接続される連系出力端子と、
前記インバータの出力側と接続され、かつ、停電時に前記連系出力端子と解列されて、自立コンセントとして機能する自立コンセントと、
連係運転時に、前記連系出力端子と前記コンセントを接続し、前記自立コンセントを連係コンセントとして機能させる切替手段と、
を備えたパワーコンディショナー。
【請求項８】
コンセント装置に備えられた接続手段を介して、停電時に自立運転を行う機能を備えたパワーコンディショナーの連系出力端子と、商用交流電源とを配線接続する工程と、
前記接続手段を介して、前記パワーコンディショナーの自立出力端子と、前記コンセント装置に備えられたコンセントとを配線接続する工程と、
を含むパワーコンディショナーの設置方法。
【請求項９】
前記パワーコンディショナーの連系運転時に、前記連系出力端子と、自立出力端子とが接続されることにより、前記コンセントを連系コンセントとして機能させ、
前記パワーコンディショナーの自立運転時に、前記連系出力端子と、自立出力端子とが解列されることにより、前記コンセントを自立コンセントとして機能させることが可能である請求項８のパワーコンディショナーの設置方法。
【発明の詳細な説明】
【技術分野】
【０００１】
本発明は、コンセント装置（電源コンセント、電源タップ、電源アウトレット、電源ソケット等とも呼ばれる）、配線接続装置、パワーコンディショナー及びパワーコンディショナーの設置方法に関する。
【背景技術】
【０００２】
特許文献１に、商用電源が交流電力の供給を停止している停電時に自立運転を行うことができるパワーコンディショナーの一例が開示されている。このパワーコンディショナーは、商用電源が交流電力を供給している通常時に、商用電源が接続された幹線電路および分岐電路に交流電力を供給する連系出力部と、停電時に、充放電ユニットへ交流電力を供給する自立コンセントとを備えている。
【０００３】
特許文献２には、電力供給を自立状態へ円滑に切り替えることができるという分電盤が開示されている。同文献によると、この分電盤は、電力を負荷５４０に供給するための電力線５１０と、停電を検知する検知部５０１と、電力系統２０４と電力供給装置５２０から供給される電力の供給点である電力供給点との間の接続状態を切り替えるスイッチ５１１と、停電時に分電盤５００が動作するための電力供給源として機能する蓄電部５０３と、検知部５０１が停電を検知した場合、蓄電部５０３から供給される電力を用いてスイッチ５１１をオフにすることにより、停電時に電力供給装置５２０から負荷５４０に電力を供給するための回路を分電盤５００内に形成する制御部５０２とを備える。
【０００４】
他方、特許文献３、４には、コンセント装置に交流用のプラグ差し込み穴以外の穴を設ける構成が開示されている。
【先行技術文献】
【特許文献】
【０００５】
【特許文献１】国際公開第２０１２／１６５３６５号
【特許文献２】特開２０１４−７３０１０号公報
【特許文献３】特開平１０−６９９５２号公報
【特許文献４】特開２０１０−１２９２３３号公報
【発明の概要】
【発明が解決しようとする課題】
【０００６】
以下の分析は、本発明によって与えられたものである。近年、家庭用の太陽光発電設備に代表される電力会社の電力系統に連系できる自家用発電設備が知られている。特許文献１に記載されているように、この種の自家用発電設備では、停電時に、自立運転を行って各種の負荷に電力を供給できるものが増えている（特許文献１の図７の符号１２ｂ）。
【０００７】
しかしながら、特許文献２の段落０００４において指摘されているように、電力系統の電力を用いない自立状態への切り替えには、様々な装置の設置、および、それらの適切な制御が必要となる。例えば、分電盤について、特許文献２の様なもののほかに、太陽光発電システム用の分電盤なるものが市販されている。従って、自立運転機能を備えた発電設備を導入するには、単に、当該発電設備のみならず、分電盤等の入れ替えやこれに伴う工事が必要になってしまうという問題点がある。
【０００８】
本発明は、自立運転機能を備えた発電設備の導入の容易化、低コスト化に貢献できるコンセント装置、配線接続装置、パワーコンディショナー及びパワーコンディショナーの設置方法を提供することを目的とする。
【課題を解決するための手段】
【０００９】
第１の視点によれば、停電時に自立運転を行う機能を備えたパワーコンディショナーの連系出力端子と、商用交流電源に接続された配線とを接続する接続手段と、前記パワーコンディショナーの自立出力端子と配線接続され、前記パワーコンディショナーの自立コンセントして機能するコンセントと、を備えるコンセント装置が提供される。
【００１０】
第２の視点によれば、商用交流電源に接続された配線を接続する第１の配線固定手段と、コンセント枠に設置された第２のコンセントへ配線を行うための第２の配線固定手段と、停電時に自立運転を行う機能を備えたパワーコンディショナーの連系出力端子及び商用交流電源に接続された配線、並びに、前記パワーコンディショナーの自立出力端子及び前記第２のコンセントへの配線とをそれぞれ接続する接続手段と、を備え、コンセント枠に取り付け可能な配線接続装置が提供される。
【００１１】
第３の視点によれば、インバータの出力側と接続され、商用交流電源と配線接続される連系出力端子と、前記インバータの出力側と接続され、かつ、停電時に前記連系出力端子と解列されて、自立コンセントとして機能する自立コンセントと、連系運転時に、前記連系出力端子と前記コンセントを接続し、前記自立コンセントを連系コンセントとして機能させる切替手段と、を備えたパワーコンディショナーが提供される。
【００１２】
第４の視点によれば、コンセント装置に備えられた接続手段を介して、停電時に自立運転を行う機能を備えたパワーコンディショナーの連系出力端子と、商用交流電源とを配線接続する工程と、前記接続手段を介して、前記パワーコンディショナーの自立出力端子と、前記コンセント装置に備えられたコンセントとを配線接続する工程と、を含むパワーコンディショナーの設置方法が提供される。本方法は、パワーコンディショナーを接続するコンセント装置という、特定の機械に結びつけられている。
【発明の効果】
【００１３】
本発明によれば、自立運転機能を備えた発電設備の導入の容易化、低コスト化に貢献することが可能となる。
【図面の簡単な説明】
【００１４】
【図１】本発明の一実施形態の構成を示す図である。
【図２】本発明の別の実施形態の構成を示す図である。
【図３】本発明の第１の実施形態のコンセント装置の構成を示す図である。
【図４】本発明の第１の実施形態のコンセント装置の変形構成を示す図である。
【図５】本発明の第１の実施形態のコンセント装置及びパワーコンディショナーの設置手順を説明するための図である。
【図６】本発明の第１の実施形態のコンセント装置の設置例を示す図である。
【図７】本発明の第１の実施形態におけるパワーコンディショナーの動作を示す流れ図である。
【図８】本発明の第１の実施形態におけるパワーコンディショナーの動作を示す流れ図である。
【図９】本発明の第２の実施形態のコンセント装置の構成を示す図である。
【図１０】本発明の第２の実施形態のコンセント装置の設置例を示す図である。
【図１１】本発明の第３の実施形態のコンセント装置及びパワーコンディショナーの構成を示す図である。
【図１２】本発明の第３の実施形態のコンセント装置の設置例を示す図である。
【図１３】本発明の第３の実施形態のコンセント装置の変形例を示す図である。
【図１４】本発明の第４の実施形態のコンセント装置の構成を示す図である。
【図１５】本発明の第５の実施形態の配線接続装置の構成を示す図である。
【発明を実施するための形態】
【００１５】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。
【００１６】
本発明は、その一実施形態において、図１に示すように、接続手段２２と、自立コンセントして機能するコンセント２３と、を備えるコンセント装置にて実現できる。
【００１７】
より具体的には、接続手段２２は、停電時に自立運転を行う機能を備えたパワーコンディショナー１０の連系出力端子１１と、商用交流電源に接続された配線２１とを接続する。このような接続手段としては、配線として使用されている、ＶＶＦ（Ｖｉｎｙｌ  ｉｎｓｕｌａｔｅｄ  Ｖｉｎｙｌ  ｓｈｅａｔｈｅｄ  Ｆｌａｔ−ｔｙｐｅ  ｃａｂｌｅ）ケーブルや、ＶＶＲ（Ｖｉｎｙｌ  ｉｎｓｕｌａｔｅｄ  Ｖｉｎｙｌ  ｓｈｅａｔｈｅｄ  Ｒｏｕｎｄ−ｔｙｐｅ  ｃａｂｌｅ）ケーブル等の芯線と、パワーコンディショナー１０の連系出力端子１１からの配線とを電気的に接続できる各種のジョイントボックス類似の器具を用いることができる。また、市販のコンセント装置に裏面に設けられているＶＶＦケーブルや、ＶＶＲケーブル等の芯線を差し込んでロックする穴を用いて接続手段を構成することもできる。
【００１８】
また、コンセント２３は、前記パワーコンディショナー１０の自立出力端子１４に配線接続される。このように構成することで、前記パワーコンディショナー１０が停電時にその内部のリレー１２が解列され（図１の状態）、自立運転が開始されると、コンセント２３は、自立コンセントとして機能することになる。もちろん、非停電時においては、パワーコンディショナー１０の内部のリレー１２は投入状態になる。このため、パワーコンディショナー１０は電力系統と連系状態となり、発電設備で発電された電力を、インバーター等で構成した電力変換部１３で交流電力に変換して電力系統側に送ることも可能となる。
【００１９】
以上のように本実施形態によれば、極めて簡単なコンセント装置の入れ替え工事だけで、パワーコンディショナーを設置するとともに、その近傍のコンセントを停電時の自立コンセントとして機能させることが可能となる。
【００２０】
なお、図１の例では、パワーコンディショナー１０には、発電設備３０のみが接続されている例を示したが、図２に示すように、パワーコンディショナー１０に蓄電池４０が接続されていてもよい。この場合、停電時に発電設備３０が稼働不可能であっても、蓄電池４０に蓄電された電力で、自立コンセントに給電することが可能となる。なお、蓄電池４０への充電は、発電設備３０にて発電された電力を用いてもよいし、屋内配線から供給された電力を用いてもよい。
【００２１】
［第１の実施形態］
続いて、本発明の第１の実施形態について図面を参照して詳細に説明する。図３は、本発明の第１の実施形態のコンセント装置の構成を示す図である。図３を参照すると、絶縁部材で構成された端子台２２１と、コンセント２３とを備えたコンセント装置２０が示されている。なお、本実施形態では、パワーコンディショナー１０は、停電時に直ちに動作を停止するのではなく、太陽電池や内蔵蓄電池等の補助電源等により、停電時にも一定期間動作し、自立運転へ切替可能な機能を備えているものとする。
【００２２】
端子台２２１の一方（図３の下側）には、屋内配線（Ｎｅｕｔｒａｌ、Ｇｒｏｕｎｄ（
Ｅａｒｔｈ）、Ｌｉｖｅ）を接続するための螺子付き座金が設けられ、他方（図３の上側）には、パワーコンディショナー１０のメスコネクターに嵌合するコネクター２２２が接続されている。なお、図３の例では、パワーコンディショナー１０の連系出力端子と自立出力端子をまとめたメスコネクターを用いているが、パワーコンディショナー１０の連系出力端子と自立出力端子とが離れている場合には、連系出力端子接続用のコネクターと、自立出力端子接続用のコネクターをそれぞれ独立して設けてもよい。なお、図３の例では、パワーコンディショナー１０を屋内配線の接地線に接続しているが、接地を省略可能な場合や、パワーコンディショナー１０側で別途接地工事を行う場合には、屋内配線との接地接続を省略することができる。
【００２３】
また、コンセント２３は、前記端子台２２１及び前記パワーコンディショナー１０のメスコネクターを介して、パワーコンディショナーの自立出力端子（Ｌ、Ｎ）と接続可能となっている。また、コンセント２３の接地端子には、屋内配線の接地線（Ｇ）が接続される。
【００２４】
本実施形態では、上記した端子台２２１及びコネクター２２２が接続手段として機能することになる。なお、図３の例では、螺子付き座金を備えた端子台２２１を用いるものとして説明したが、屋内配線との接続構成はこれに限られない。例えば、図４に示すように、屋内配線の芯線を挿入する芯線挿入孔２２１１を設け、その内部のロック機構で端子台２２１と屋内配線を接続するようにしてもよい。このようなロック機構としては、市販されている埋込式コンセントの裏面に設けられている穴近傍のスリットにマイナスドライバーの先端を挿入することがロックを解除できるロック機構と同等のものを用いることができる。
【００２５】
続いて、図５を参照して、第１の実施形態のコンセント装置及びパワーコンディショナーの設置手順を説明するための図である。図５を参照すると、まず、既存の埋込コンセントのコンセントプレート（カバープレートとも言う）を取り外すと、コンセント枠を固定している螺子が露出される（図５（ａ））。
【００２６】
次に、コンセント枠を固定している螺子を取り外すと、コンセント本体を取り外し可能となる（図５（ｂ））。次に、コンセント本体を引き出して、屋内配線（Ｌ、Ｎ、Ｇ）を取り外す（図５（ｃ））。
【００２７】
最後に、屋内配線（Ｌ、Ｎ、Ｇ）を本発明のコンセント装置２０に接続し、コンセント本体を定位置に収納し、上記と逆の手順で、コンセント枠及びコンセントプレートを取り付ける。図６は、取り付けが完了した状態を表す図である。そして、図５（ｄ）に示すように、コンセント装置２０のコネクター２２２をパワーコンディショナー１０のメスコネクターに接続すると、パワーコンディショナー１０の設置が完了する。
【００２８】
以上のとおり、本実施形態によれば、配電盤側で特段の工事を行うことなく、パワーコンディショナーを設置することが可能となる（但し、ブレーカーの断操作は安全上必要である）。また、パワーコンディショナーの出力によっては、連系ブレーカーに交換しておくことが望ましい。
【００２９】
続いて、上記のようにして設置されたパワーコンディショナー１０の動作について説明する。図７は、本発明の第１の実施形態におけるパワーコンディショナーの停電時の動作を示す流れ図である。図７を参照すると、まず、パワーコンディショナー１０は、商用電源からの電源断により停電を検出すると、連系運転を停止する（ステップＳ００１）。
【００３０】
次に、パワーコンディショナー１０は、連系リレー１２（図１の符号１２参照）を解列する（ステップＳ００２）。これにより、回路は図１の状態となり、発電設備３０から自立コンセントへ電力を供給可能な状態に切り替わる。
【００３１】
次に、パワーコンディショナー１０は、自立運転モードへの切替制御を実施する（ステップＳ００３）。以降、発電設備３０で発電された電力は、コンセント２３へ供給される（ステップＳ００４）。
【００３２】
ユーザは、発電設備３０又は蓄電池４０から電力が供給されている間は、コンセント２３に任意の機器を繋いで当該機器を利用することができる。以上の状態は、停電復旧まで継続される。
【００３３】
次に、パワーコンディショナー１０の停電復旧時の動作について説明する。図８は、本発明の第１の実施形態におけるパワーコンディショナーの復電（停電復旧）時の動作を示す流れ図である。図８を参照すると、まず、パワーコンディショナー１０は、ユーザの自立運転停止操作や別途電力系系統から停電復旧メッセージの受信により復電を検出すると（ステップＳ１０１）、系統連系運転規程に従い、一定期間（系統連系運転の移行阻止期間）自立運転を継続する（ステップＳ１０２）。
【００３４】
前記系統連系運転の移行阻止期間が終了すると、パワーコンディショナー１０は、自立運転モードを停止し（ステップＳ１０３）、連系リレー１２（図１の符号１２参照）を投入する（ステップＳ１０４）。
【００３５】
次に、パワーコンディショナー１０は、系統連系運転モードへの切替制御を実施する（ステップＳ１０５）。以降、屋内配線からコンセント２３に電力供給が行われる。
【００３６】
ユーザは、復電後もコンセント２３に任意の機器を繋いで当該機器を利用することができる。
【００３７】
以上、説明したとおり、本実施形態のコンセント装置とパワーコンディショナーの組み合わせによれば、極めて簡単なコンセント取り換え工事にて、連系時、停電時の双方利用可能な連系自立両用コンセント（コンセント２３）を設けることが可能となる。その理由は、系統との系統点を配電盤ではなく、コンセント装置側に配置した構成を採用したことにある。
【００３８】
また、上記の実施形態では、コンセント装置２０の自立コンセント２３の数が１つであるものとして説明したが、コンセント２３の数は２以上であってもよい。また、上記の実施形態では、屋内配線の単相１００Ｖのコンセントを設ける例を挙げて説明したが、Ｌ１、Ｌ２線に接続して単相２００Ｖのコンセントを設けることも可能である（第４の実施形態（図１４参照））。
【００３９】
また、本実施形態からも明らかなとおり、コンセント装置２０及びパワーコンディショナーは、複数の箇所に設置することが可能である。このようにすることで、連系時、停電時の双方利用可能な連系自立両用コンセント（コンセント２３）を複数設けることが可能となる。
【００４０】
［第２の実施形態］
続いて、コンセント装置２０とパワーコンディショナー１０間の接続構成（接続手段）に変更を加えた第２の実施形態について図面を参照して詳細に説明する。基本的な回路構成やパワーコンディショナー１０の動作は第１の実施形態と共通であるので、以下その相違点を中心に説明する。
【００４１】
図９は、本発明の第２の実施形態のコンセント装置の構成を示す図である。図３に示した第１の実施形態との相違点は、コンセント装置２０側に、パワーコンディショナー１０の連系出力端子と自立出力端子とに接続するためのメスコネクター２２４を配置し、コネクター２２２、２２３にそれぞれ接続されたケーブルで着脱自在とした点にある。
【００４２】
図１０は、本発明の第２の実施形態のコンセント装置の設置例を示す図である。図１０からも明らかなとおり、本実施形態によれば、パワーコンディショナー１０を接続しない場合にケーブルが露出することが無いため、コンセント装置２０のコネクター２２２に異物が入ってしまったり、誤って触れてしまうといった事故を防止することができる。
【００４３】
なお、図１０の例では、コンセント装置２０とパワーコンディショナー１０ａとの接続に、メスコネクター２２４とコネクター２２３を配置したケーブルを用いているが、この構成に限られない。例えば、図１のパワーコンディショナー１０の連系出力端子１１と配線２１との接続に、メガネ型電源コネクタやメガネコードと呼ばれるコード（例えば、図１３のコード５０参照）で接続し、パワーコンディショナー１０の自立出力端子１４とコンセント２３との間は、別途、２端子の第２のケーブル等で接続する構成も採用可能である。
【００４４】
なお、本実施形態においても、メスコネクター２２４とコネクター２２３、パワーコンディショナー１０側のメスコネクターとコネクター２２２の接続ロック機構を設けることが好ましい。例えば、コネクターの一方に凹部を設けるとともに他方に当該凹部に係合する爪を設けた構成を採用することができる。また、各種ディスプレイケーブルのように、コネクターの一方にねじ穴を設けるとともに他方に当該ねじ穴に適合する螺子部材を設けた構成を採用することができる。
【００４５】
［第３の実施形態］
続いて、コンセント装置２０とパワーコンディショナー１０間の接続構成（接続手段）に変更を加えた第３の実施形態について図面を参照して詳細に説明する。本実施形態では、コンセント装置２０側の接続手段は、屋内配線をパワーコンディショナー１０ａ側に引き込む貫通穴で構成し、また自立コンセントもパワーコンディショナー１０ａ側に配置している。以下、第１、第２の実施形態との相違点を中心に説明する。
【００４６】
図１１は、本発明の第３の実施形態のコンセント装置及びパワーコンディショナーの構成を示す図である。図３に示した第１の実施形態との相違点は、コンセント装置２０側の端子台２２１を省略し、屋内配線を引き出す貫通穴だけで接続手段２２を構成した点である。また、コンセント装置２０側のコンセント２３ａは、通常のコンセントと同じく屋内配線と接続されている。
【００４７】
第３の実施形態のパワーコンディショナー１０ａは、インバーターで構成された電力変換部１３と接続された自立コンセント１５を備えている。また、電力系統側との連系を解列可能なリレー１２が設けられている点は、第１、第２の実施形態と同様である。
【００４８】
図１２は、本発明の第３の実施形態のコンセント装置の設置例を示す図である。図１２に示したように本実施形態によれば、コンセント装置１０側の工事が一層簡易化される。
【００４９】
本実施形態の動作を説明すると、連系運転時は、パワーコンディショナー１０ａ内のリレー１２が投入状態にあるため、自立コンセント１５の位置が異なるだけで、回路構成としては第１、第２実施形態と等価となる。また、自立運転時は、パワーコンディショナー１０ａ内のリレーが解列状態になり、自立コンセント１５に電力が供給されることになる。
【００５０】
本実施形態と、第１、第２実施形態との相違点は、コンセント装置２０側のコンセント２３ａが停電時に使用できなくなる点である。その一方で、本実施形態では、第１、第２実施形態と比較してコンセント装置側の工事が一層簡易化される。図１２の例では、コンセント装置２０Ｂから屋内配線を引き出してパワーコンディショナー１０ａに接続しているが、この構成に限られない。例えば、図１３に示すとおり、一般的な２口コンセント２０ｃとし、その一方に、メガネ型電源コネクタやメガネコードと呼ばれるコード５０のプラグ側を差し込み、他方をパワーコンディショナーのＡＣインレットに接続することで、商用交流電源とパワーコンディショナーとを接続する構成も採用可能である。但し、パワーコンディショナーとコンセント側の接続断（コンセントの抜け）を防ぐという観点では、図１２の構成の方が好ましいと言える。
【００５１】
［第４の実施形態］
前述したように、本発明によれば、単相１００Ｖのコンセントのみならず、単相２００Ｖのコンセントを自立コンセント化することも可能となる。図１４は、図３に示す第１の実施形態と同様の端子台２２１を用いて単相２００Ｖ／２０Ａのコンセント装置２０ｃのコンセント２３ｂを自立コンセント化する構成を示している。
【００５２】
図１４を参照すると、中性線（Ｎｅｕｔｒａｌ）の代わりに非接地線Ｌ２が接続されて、２００Ｖをパワーコンディショナー側に供給可能となっている。また、本実施形態のコンセント装置は、パワーコンディショナーを介して、コンセント２３ｂへ単相２００Ｖを供給可能となっている。その他細部は第１の実施形態と同様であり、接地線の接続を省略することも可能であり、端子台２２１の代わりに芯線挿入孔２２１１を設けることも可能である。
【００５３】
［第５の実施形態］
また、本発明は、既存の２口又は３口コンセントの単体コンセントと置換可能な配線接続装置として構成することもできる。図１５は、本発明の第５の実施形態の配線接続装置の構成を示す図である。
【００５４】
図１５の左側図（ａ）を参照すると、コンセントプレート（カバープレートとも言う）７１内のコンセント枠（コンセント取付枠）７２に、コンセント７０ｂと、配設接続装置７０ａとが取りつけられた状態が示されている。
【００５５】
コンセント７０ｂは、既存の単相１００Ｖ用のコンセントであり、図１５の図（ｂ）に示すように渡り配線６０及び配線接続装置７０ａを介してパワーコンディショナーの自立出力端子と接続される。
【００５６】
配線接続装置７０ａは、装置裏側の芯線挿入孔（第１の配線固定手段に相当）を介して、屋内配線（Ｌ、Ｎ）と接続される（図１５の（ｂ）参照）。配設接続装置７０ａは、装置表側のメスコネクター２２４を介して、パワーコンディショナーの連系出力端子及び自立出力端子と接続可能となっている。
【００５７】
配線接続装置７０ａ内の回路は、接地線が省略されている点を除いて、第１、第２の実施形態と同様であり、屋内配線（Ｌ、Ｎ）は、メスコネクター２２４内の連系出力端子接続用のピン（Ｌ、Ｎ）と接続され、自立出力端子接続用のピン（Ｌ、Ｎ）は、前記渡り配線６０用の芯線挿入孔（第２の配線固定手段に相当）内の端子（Ｌ、Ｎ）とそれぞれ接続される。これらが本実施形態における「接続手段」に相当する。
【００５８】
その他、パワーコンディショナー側の構成や作用は第１、第２の実施形態と同様であるため説明を省略する。
【００５９】
以上のように本実施形態によれば、既存の２口又は３口コンセント内の１つのコンセント等を取り外して、配線接続装置７０ａを取り付けることで、残るコンセントを連系、自立両用可能なコンセントとして機能させることが可能となる。ユーザが調達すべき部材は、配線接続装置７０ａ、パワーコンディショナーとの接続ケーブル及び若干の配線部材となるので、第１、第２の実施形態と比較して低コストで、連系時、停電時の双方利用可能な連系自立両用コンセント（コンセント７０ｂ）を設けることが可能となる。なお、本実施形態では、渡り配線６０は同一コンセント枠のコンセント７０ｂを自立コンセント化しているが、同一ブレーカーに接続する別のコンセント（例えば、同一室内の近傍のコンセント）に配線（送り配線）を行うことで、当該コンセントを、連系、自立両用可能なコンセントとして利用する形態に変形することができる。
【００６０】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示した装置間の構成、各要素の構成、接続形態は、本発明の理解を助けるための一例であり、これらの図面に示した構成に限定されるものではない。
【００６１】
例えば、上記した各実施形態では、屋内の埋込コンセントに本発明のコンセント装置を設置し、あるいは、パワーコンディショナーを接続するものとして説明したが、本発明は、屋内の埋込コンセント以外にも適用可能である。例えば、フロア収納コンセントや、屋外コンセントにも同様の手順でコンセント装置を設置し、あるいは、パワーコンディショナーを接続することが可能である。
【００６２】
なお、上記の特許文献および非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６３】
１０、１０ａ  パワーコンディショナー
１１  連系出力端子
１２  リレー
１３  電力変換部  
１４  自立出力端子
１５  自立コンセント
２０、２０ａ、２０ｂ、２０ｃ  コンセント装置
２１  配線（屋内配線）
２２  接続手段
２３、２３ａ、２３ｂ  コンセント
３０  発電設備
４０  蓄電池
５０  コード
６０  渡り配線
７０ａ  配線接続装置
７０ｂ  コンセント
７１  コンセントプレート
７２  コンセント枠（コンセント取付枠）
２２１  端子台
２２２  コネクター
２２１１  芯線挿入孔
２２３  コネクター
２２４  メスコネクター
【図１】
2017060337.tif 000003
【図２】
2017060337.tif 000004
【図３】
2017060337.tif 000005
【図４】
2017060337.tif 000006
【図５】
2017060337.tif 000007
【図６】
2017060337.tif 000008
【図７】
2017060337.tif 000009
【図８】
2017060337.tif 000010
【図９】
2017060337.tif 000011
【図１０】
2017060337.tif 000012
【図１１】
2017060337.tif 000013
【図１２】
2017060337.tif 000014
【図１３】
2017060337.tif 000015
【図１４】
2017060337.tif 000016
【図１５】
2017060337.tif 000017